(57)【要約】  【課題】気体中の各種粉粒体を捕獲し回収する方法並びに装置に関し、より狭小な空間で効果的に各種の気体中粉粒体を捕獲し、かつ回収できる方法並びに装置を実現する。  【解決手段】回転体を囲む周壁からなる回転体室を有し、回転軸で駆動される回転体に向けて、各種の粉粒体を含む気体流を供給することによって、粉粒体を回転体に付着させ、捕獲する。あるいは、回転体室の周壁に、回転体の遠心力で粉粒体を衝突させて付着させ、捕獲する。こうして付着した粉粒体は、浮遊粉粒体が堆積して、粉粒堆積物となる。この粉粒堆積物は、後述の回収技術を駆使して回収する。【選択図】図１
2009248043.tif 000002
【特許請求の範囲】
【請求項１】
海水中のミネラルの結晶のような各種の粉粒体を含む気体流を回転体に向けて供給し、粉粒体を回転体に付着させて捕獲するか、又は回転体を囲む周壁に回転体の遠心力で衝突させて付着させ、捕獲することを特徴とする粉粒体の回収方法又は回収装置。
【請求項２】
回転軸に取付け支持した回転体が、網若しくは網状体、袋状体、シート状体、可撓性体、板又は棒であることを特徴とする請求項１に記載の粉粒体の回収方法又は回収装置。
【請求項３】
前記の回転体を囲む周壁からなる回転体室を有し、前記捕獲室の一方から前記の気体流を供給し、他方から吸引することを特徴とする請求項１または請求項２に記載の粉粒体の回収方法又は回収装置。
【請求項４】
前記の回転体を回転軸に取付け、回転軸の内部および／又は外部の流体供給手段によって前記回転体に気体および／又は液体を供給することによって、又は周壁に水分を供給することによって、回転体および／又は周壁に付着している粉粒堆積物を剥離させ、回収することを特徴とする請求項１、請求項２または請求項３に記載の粉粒体の回収方法又は回収装置。
【請求項５】
前記の回転体および／又は周壁に振動および／又は衝撃を加えることを特徴とする請求項１から請求項４までのいずれかの項に記載の粉粒体の回収方法又は回収装置。
【請求項６】
前記の回転体と周壁との間隔より回転体と底面との間隔を大きく又は底面を下降構造とすることで、剥離落下物の堆積領域を設けることを特徴とする請求項１から請求項５までのいずれかの項に記載の粉粒体の回収方法又は回収装置。
【請求項７】
前記回転体の全部又は一部に可撓性体又は柔軟体を用いると共に、回転軸の正転と逆転を所定の時間をおいて繰り返すことを特徴とする請求項１から請求項６までのいずれかの項に記載の粉粒体の回収方法又は回収装置。
【請求項８】
前記の回転軸に取付けた回転体に袋体を支持させておき、袋体の中に時々圧縮空気を供給することで、袋体又は袋体の外側の網若しくは網状体に付着している粉粒堆積物を剥離させることを特徴とする請求項１から請求項７までのいずれかの項に記載の粉粒体の回収方法又は回収装置。
【発明の詳細な説明】
【技術分野】
【０００１】
本発明は、例えば空中で海水微細霧の水分を気化させてなる塩分や各種ミネラル結晶のような気体中粉粒体など、各種の気体中粉粒体を捕獲し回収する方法並びに装置に関する。
【０００２】
本願の発明者は、特許第３２５０７３８号（海水の処理方法および処理装置、自然塩並びに淡水）において、海水（濃縮海水を含む）を散霧し、温風を吹き着けることによって水分を気化させ結晶化させる技術を提案した。
この場合、空中を浮遊している結晶粉は、垂下状態のネットに付着させて捕獲し、堆積したらたたき落とす手法を採っている。
【特許文献１】特許第３２５０７３８号
【発明の開示】
【発明が解決しようとする課題】
【０００３】
ところが、特許文献１のように、結晶の付着したネットをたたく手法では、ネットのほつれが発生して結晶製品（食塩）に混入する恐れがあり、またネットを吊るすのに大きな空間を必要とする。大空間に海水の霧を噴霧し送風するのに大きな動力を要する。その結果、多大な設備費が必要となり、製品のコスト高を招くという問題が避けられない。
加えて、ネットは微細な結晶で目詰まりし易いため、ネットに堆積した結晶を頻繁にたたき落とす必要がある。フィルターも有効だが、短時間で目詰まりし、メンテナンスの負担が大きい。以上のような問題は、海水の結晶粉以外の粉粒体を回収する場合にも発生する。
本発明の技術的課題は、このような問題に着目し、より狭小な空間で効果的に各種の気体中粉粒体を捕獲し、かつ回収できる方法並びに装置を実現することにある。任意の場所に付着又は溜まっている粉粒体を気体中に一旦取り込んで飛散させた粉粒体を捕獲回収する場合もある。
【課題を解決するための手段】
【０００４】
本発明の技術的課題は次のような手段によって解決される。請求項１は、海水中のミネラルの結晶のような各種の粉粒体を含む気体流を回転体に向けて供給し、粉粒体を回転体に付着させて捕獲するか、又は回転体室の周壁に回転体の遠心力で衝突させて付着させ、捕獲することを特徴とする粉粒体の回収方法又は回収装置である。
このように、回転軸で駆動される回転体に向けて、各種の粉粒体を含む気体流を供給することによって、粉粒体を回転体に付着させることで、捕獲できる。あるいは、回転体を囲む回転体室の周壁に、回転体の遠心力で粉粒体を衝突させて付着させ、捕獲することもできる。
こうして付着した粉粒体は、浮遊粉粒体が堆積した粉粒堆積物となる。この粉粒堆積物は、後述の回収技術を駆使して回収する。
【０００５】
請求項２は、回転軸に取付け支持した回転体が、網若しくは網状体、袋状体、シート状体、可撓性体、板又は棒であることを特徴とする請求項１に記載の粉粒体の回収方法又は回収装置である。
このように、回転軸に取付け支持した前記回転体としては、網若しくは網状体、袋状体、シート状体、可撓性体、板又は棒を使用できるが、捕獲する気体中粉粒体の特性に応じて、具体的な材質や構成はまちまちである。
【０００６】
請求項３は、前記の回転体を囲む周壁からなる回転体室を有し、前記回転体室の一方から前記の気体流を供給し、他方から吸引することを特徴とする請求項１または請求項２に記載の粉粒体の回収方法又は回収装置である。
このように、前記の回転体を囲む周壁からなる捕獲室を構成し、前記捕獲室の一方から前記の粉粒体含有の気体流を供給し、他方から吸引することにより、狭小な限られた空間を効果的に利用して、気体中粉粒体の捕獲回収が可能となる。従来のようなネットやフィルターを使用しないので、目詰まりの問題も発生しない。
【０００７】
請求項４は、前記の回転体を回転軸に取付け、回転軸の内部および／又は外部の流体供給手段によって前記回転体に気体および／又は液体を供給することによって、又は周壁に水分を供給することによって、回転体および／又は周壁に付着している粉粒堆積物を剥離させ、回収することを特徴とする請求項１、請求項２または請求項３に記載の粉粒体の回収方法又は回収装置である。
【０００８】
このように、前記の回転体を取付けた回転軸の内部に設けた流体供給手段によって前記回転体に気体や液体を供給して、気体や液体の圧力を利用して、付着している粉粒堆積物を剥離落下させることができる。回転体の表面や付着している粉粒堆積物を液体で加湿し、粉粒堆積物の固着力を弱めたり重くすることにより、遠心力で回転体から剥離落下し易くなる。流体供給手段は、回転軸の外部に設けることも可能である。
周壁に付着している粉粒堆積物を剥離させるには、回転体を囲む周壁に給水手段を配管したりして、周壁内面に水分を供給する。回転体から遠心力で水分を飛散させることもできる。
【０００９】
請求項５は、前記の回転体および／又は周壁に振動および／又は衝撃を加えることを特徴とする請求項１から請求項４までのいずれかの項に記載の粉粒体の回収方法又は回収装置である。
このように、前記の回転体や周壁に振動や衝撃を加えることによって、付着している粉粒堆積物を剥離落下させることができる。回転体や周壁を振動させるための加振には高度な技術を要するが、装置を損傷しない程度の衝撃を加えることは容易である。
【００１０】
請求項６は、前記の回転体と周壁との間隔より回転体と底面との間隔を大きく又は底面を下降構造とすることで、剥離落下物の堆積領域を設けることを特徴とする請求項１から請求項５までのいずれかの項に記載の粉粒体の回収方法又は回収装置である。
このように、前記の回転体と周壁との間隔より回転体と底面との間隔を大きく又は底面を下降構造とすることで、回転体や周壁からの剥離落下物の堆積領域を設けることにより、回転体や周壁に付着後の剥離落下物が堆積領域に落下し、大量に堆積するので、以後の回収が容易になる。
【００１１】
請求項７は、前記回転体の全部又は一部に可撓性体又は柔軟体を用いると共に、回転軸の正転と逆転を所定の時間をおいて繰り返すことを特徴とする請求項１から請求項６までのいずれかの項に記載の粉粒体の回収方法又は回収装置である。
このように、前記回転体の全部又は一部に可撓性体又は柔軟体を用いると共に、回転軸の正転と逆転を所定の時間をおいて繰り返すことにより、可撓性体の反る方向や柔軟体の変形方向が逆転するため、逆方向に変形する際に、可撓性体や柔軟体に付着している粉粒堆積物を破壊する力が発生し、容易に剥離落下可能となる。
したがって、剥離落下が容易になり、必ずしも加湿しなくてもよい。
【００１２】
請求項８は、前記の回転軸に取付けた回転体に袋体を支持させておき、袋体の中に時々圧縮空気を供給することで、袋体又は袋体の外側の網若しくは網状体に付着している粉粒堆積物を剥離させることを特徴とする請求項１から請求項７までのいずれかの項に記載の粉粒体の回収方法又は回収装置である。
このように、前記の回転軸に取付けた回転体に袋体を支持させておき、袋体の中に時々圧縮空気を供給する手法によると、空気圧で袋体が膨らむ際に発生する力で、袋体に付着している粉粒堆積物が容易に破壊されて剥離落下し又は遠心力で周壁に激突する。袋体の外側に網や網状体を有する場合は、網や網状体に付着している粉粒堆積物が破壊される。圧縮空気を供給する周期は任意である。
【発明の効果】
【００１３】
請求項１のように、回転軸で駆動される回転体に向けて、各種の粉粒体を含む気体流を供給することによって、粉粒体を回転体に付着させ、捕獲できる。あるいは、回転体室の周壁に、回転体の遠心力で粉粒体を衝突させて付着させ、捕獲することもできる。
【００１４】
請求項２のように、回転軸に取付け支持した前記回転体としては、網若しくは網状体、袋状体、シート状体、可撓性体、板又は棒を使用できるが、捕獲する気体中粉粒体の特性に応じて、具体的な材質や構成はまちまちである。
【００１５】
請求項３のように、前記回転体を囲む周壁からなる捕獲室を構成し、前記捕獲室の一方から前記の粉粒体含有の気体流を供給し、他方から吸引することにより、狭小な限られた空間を効果的に利用して、気体中粉粒体の捕獲回収が可能となる。従来のようなネットやフィルターを使用しないので、目詰まりの問題も発生しない。
【００１６】
請求項４のように、回転軸の内部に設けた流体供給手段で前記回転体に気体や液体を供給し、気体や液体の圧力を利用して、付着している粉粒堆積物を剥離落下させることができる。回転体の表面や付着している粉粒堆積物を液体で加湿し、粉粒堆積物の固着力を弱めたり重くすることにより、遠心力で回転体から剥離落下し易くなる。周壁に付着している粉粒堆積物を剥離させるには、周壁に給水手段を配管したりして、周壁内面に水分を供給する。回転体から遠心力で水分を飛散させることもできる。
【００１７】
請求項５のように、前記回転体や周壁に振動や衝撃を加え、付着している粉粒堆積物を剥離落下させることができる。回転体や周壁を振動させるための加振には高度な技術を要するが、装置を損傷しない程度の衝撃を加えることは容易である。
【００１８】
請求項６のように、前記回転体と周壁との間隔より回転体と底面との間隔を大きく又は底面を下降構造とすることで、回転体や周壁からの剥離落下物の堆積領域を設けることにより、回転体や周壁に付着後の剥離落下物が堆積領域に落下し、大量に堆積するので、以後の回収が容易になる。
【００１９】
請求項７のように、前記回転体の全部又は一部に可撓性体又は柔軟体を用いると共に、回転軸の正転と逆転を所定の時間をおいて繰り返すことにより、可撓性体の反る方向や柔軟体の変形方向が逆転するため、逆方向に変形する際に、可撓性体や柔軟体に付着している粉粒堆積物を破壊する力が発生し、容易に剥離落下可能となる。
したがって、剥離落下が容易になり、必ずしも加湿しなくてもよい。
【００２０】
請求項８のように、前記の回転軸に取付けた回転体に袋体を支持させておき、袋体の中に時々圧縮空気を供給する手法によると、空気圧で袋体が膨らむ際に発生する力で、袋体に付着している粉粒堆積物が容易に破壊されて剥離落下し又は遠心力で周壁に激突する。袋体の外側に網や網状体を有する場合は、網や網状体に付着している粉粒堆積物が破壊される。
【発明を実施するための最良の形態】
【００２１】
次に本発明による粉粒体の回収方法並びに回収装置が実際上どのように具体化されるか実施形態を説明する。図１は、本発明による粉粒体の回収方法並びに回収装置の基本構成を示す縦断面図、図２は図１のＡ−Ａ断面図であり、モータＭで回転駆動される回転軸１に多数の回転羽根２…が回転体として放射状に、かつ所定の間隔をおいて何段も取付けてある。この回転羽根２…の収納領域３に粉粒体８の気流が矢印３方向に発生している。
例えば、散霧用の羽根車４に海水を連続的に供給して、遠心力で海水の微細霧５を発生させ、気化室６中に矢印ａ６方向の温風を吹き込むことで、微細霧５の水分を気化させると、海水中のミネラルが結晶化した粉粒体８となる。
【００２２】
この食塩の粉粒体８を回転羽根２の収納領域３に案内するために、気化室６と反対側に空気流を吸引するための吸引ファン９を設けてある。回転羽根２の周りには、粉粒体８が効果的に回転羽根２…と遭遇できるように、周壁１０を設けてある。
したがって、周壁１０内を粉粒体８が通過する間に、粉粒体８は多数の回転羽根２…に当たって回転羽根２…に付着し堆積する。あるいは、回転羽根２…の遠心力で周壁１０側に吹き着けられて、周壁１０の内面に付着し堆積する。
そのため、周壁１０内を通過する粉粒体８が確実に回転羽根２…に遭遇できるように、回転羽根２…は多数設けることが望ましい。
【００２３】
回転羽根２…に粉粒体が付着し堆積すると、遠心力と重みで、回転羽根２…から剥離し離脱して、周壁１０の内面に付着堆積した粉粒堆積物に激突し、周壁１０内面の粉粒堆積物を剥離落下させる。
回転羽根２…や周壁１０の内面に水分を供給して、加湿しておくと、堆積した粉粒堆積物が重くなったり、固着力が低下して、剥離落下が容易になる。また、粉粒堆積物の回転羽根２…や周壁１０への付着力が低下して、剥離落下し易くなる。
【００２４】
剥離落下した粉粒堆積物は、回転体室１０の回収底10ｂ上に溜まり、回収される。回収底10ｂは、コイルバネ１１で支持されているため、剥離落下物が堆積して、回収底10ｂの重量が増大すると、コイルバネ１１が圧縮されて、回収底10ｂが次第に下降する。その結果、各回転体２…と回収底10ｂ上面との隙間が開き過ぎて、粉粒体８が素通りするのを防止できる。コイルバネ１１によって、回収底10ｂの押し上げ力が作用するからである。
【００２５】
コイルバネ１１に代えて、ジャッキ手段で回収底10ｂを支持しておき、剥離落下物の堆積量が増えたら、ジャッキ手段で回収底10ｂを下降させる構成も可能である。回転体２…と回収底10ｂとの間隔を検出し、その検出信号でジャッキ手段を駆動すれば、自動化も可能である。
あるいは、単位時間中に回収底10ｂ上に堆積する量はほぼ一定であるから、単位時間の堆積量に応じた速度で回収底10ｂを自動的に下降させてもよい。
コイルバネ１１と回収底10ｂは、前後の壁部７１、７２と左右の壁部７３、７４で密閉された室内に設け、粉粒体８の流出を防いでいる。なお、左右の壁部７３、７４を開けて、回収底10ｂ上の堆積物を取り出すことができる。
【００２６】
回転羽根２…の形状は任意であり、羽根状でも、棒状でもよいし、図３のような帯板状体２ａでもよい。あるいは、所定の角度で取付けた網ｎ又は網状体でもよい。網ｎや網状体は、小型に分割してもよい。網状体とは、多数の帯板を縦横に配置した構成や板体に無数の孔を開けて成る多孔板（パンチングメタル）などを含むものとする。したがって、網目のサイズは任意である。
網ｎや帯板状体２ａの面は、粉粒体８の気体流ａ３方向に対し所定の角度を設け、傾けるのが効率的である。
【００２７】
網ｎ又は網状体の場合は、水分を供給して、前記のように加湿するのが効果的である。加湿は、図５のように、回転軸１中に設けた送水手段で水分を供給するなどの手法が可能である。
図１の気化室６において、水分の気化量を抑えて、水分を含んだ結晶にすることでも可能である。
【００２８】
回転羽根２が棒状や板状の場合は、図４のように、次第に先端側が細いとげ状にすると、遠心力でとげ状外面の根元側から先端側に移動して来た粉粒堆積物同士が衝突して破壊され、次いで先端から遠心力で放出されるので、粉粒堆積物の剥離が容易になる。この場合も、とげ状回転羽根２ｂ…に給水又は加湿すると、より効果的に剥離する。
【００２９】
図５は、回転羽根２…や回転筒２ｃ…に柔軟な又は可撓性の網や布体から成る回転袋１２を被せてある。網製や布製の回転袋１２の材質は木綿製や麻製、絹製、化学繊維製、不織布、金網などがあり、特に限定はされないが、通気性の良いものが適する。
回転軸１に所定間隔でかつ放射状に取付けた回転筒２ｃは、全面に多数の通気孔ｈ…を有しており、その上から回転袋１２を被せて固定してある。筒状の回転軸１の各回転筒２ｃとの連結部は、互いの内部同士が連通するように、回転軸筒１の側壁に連通孔１ｈを開けてある。
【００３０】
通常は、回転筒２ｃ中に送風しない状態で連続回転させると、粉粒体が回転袋１２に押しつけられて付着し、捕獲される。ある程度付着したら、回転軸筒１中に圧縮空気を送風し、各回転筒２ｃ中に送風すると、回転筒２ｃに風圧で押しつけられていた回転袋１２が、回転筒２ｃから噴出した圧縮空気の空気圧で膨らむため、付着していた粉粒堆積物が破壊されて剥離し落下する。あるいは、遠心力で周壁１０に飛ばされ、周壁１０の内面に衝突して、周壁１０内面に付着している粉粒堆積物を破壊し、剥離落下させる。したがって、回転袋１２中に圧縮空気を吹き込んで膨らませる操作を間欠的に繰り返すことで、付着した粉粒堆積物を剥離落下できる。
回転袋12が網のように通気性があると、回転袋１２から圧縮空気が吹き出すため、この際に、回転袋１２に付着している粉粒堆積物をより効果的に剥離させることもできる。
回転袋１２が網のように通気性がある場合は、通気性の無い袋を内蔵し、圧縮空気の供給と排気によって、網製の回転袋１２に付着している粉粒堆積物を剥離落下させることも可能である。なお、圧縮空気の供給を停止し、大気開放すれば、回転体の回転によって、回転袋１２中は自然と排気される。
【００３１】
図６の回転体は可撓性羽根２ｆであり、例えば金属や合成樹脂製の薄板、布製やテントなどのシートのようなフレキシブルな材質である。この場合は、回転軸１は、間欠的に正逆回転させる。可撓性羽根２ｆのシート面が回転方向に対し例えば直角の場合、シート面は後方に反ることになり、その状態で粉粒堆積物が前面に発生する。逆転すると、反対向きに反り、反転するため、その際に、付着していた粉粒堆積物に破壊力が作用し、剥離して落下する。
なお、シート面は必ずしも回転方向に対し直角である必要はなく、回転軸の抵抗を少なくするためには、所望の角度を持たせるのがよい。ただし、回転方向と平行だと、シート面の反転作用は得られない。
図示の可撓性羽根２ｆは、金属製の長方形状の枠（フレーム）ｆの内側に、各種の可撓性や柔軟なシートや薄板を取付けた構造である。回転軸１に取付ける枚数は、図１〜５のように多い方が捕獲効率はよい。なお、可撓性羽根２ｆの可撓性体に代えて、シートや布などのような柔軟材を用いることもできる。
【００３２】
前記のようにして、回転軸１に取付けた回転体に付着した粉粒堆積物を剥離落下させるが、粉粒堆積物自体又は被付着面を加湿し、水分を含ませる手法も剥離落下に有効である。
例えば、図５の回転軸筒１中に、圧縮空気に代えて水などの液体を供給し、各回転筒２ｃの各孔ｈ…から液体を流出させると、回転筒２ｃの外面が濡れるので、付着している粉粒堆積物が剥離し易くなる。回転筒２ｃへの付着力低下に加えて、粉粒堆積物自体の固着力が弱まり、かつ重くなるので、遠心力による剥離落下が容易になる。
回転筒２ｃの外面だけでなく、付着している粉粒堆積物の全体が湿気るように、常時連続的に給液してもよい。あるいは、断続的に給液してもよい。
【００３３】
図５のような圧縮空気の供給と併用する場合は、回転軸筒１の外面と各回転筒２ｃの外面に給液管や吸湿マットなどの給液手段を沿わせることで、加湿することも可能である。あるいは、回転軸筒１中への給水量を減らして、圧縮空気も同時送風してもよい。
前記の回転体室３の周壁１０の内面に配管した給水手段で給液し加湿すると、周壁１０に付着している粉粒堆積物を容易に剥離落下させることができる。
【００３４】
粉粒堆積物の剥離落下は、前記の回転体２又は周壁１０に振動又は衝撃を加えることでも可能である。
回転体２に衝撃を加えるには、モータＭの電源をＯＦＦにして、慣性で回転している間に、周壁10側からストッパーを突出させて、隣接する回転体の間に進入させると、すべての回転筒２…や回転筒２ｃ…に衝撃を加えることができる。
また、周壁１０に衝撃を加えるには、周壁１０の保持フレームに重量物を落下させるのが効果的である。あるいは、コイルバネで吊り上げている磁性体の重量物を、電磁石に通電して磁化させ、磁力で周壁フレームに吸着衝突させてもよい。
【００３５】
粉粒体を付着させる回転体の表面は、粉粒体が付着し易い性状とすることで、捕獲効率を高めることができ、逆に粉粒体が付着し難い性状とすることで、付着している粉粒体の剥離効率を高めることができる。
粉粒体が付着し易い表面性状としては、回転体２…や周壁１０の表面を粗面化したり、起毛状にするのがよい。
逆に、粉粒体が付着し難い表面性状としては、フッ素化処理したり、滑りやすい滑面状にするのがよい。
いずれを採択するかは、実施化の際に諸般の状況に応じて決める。
【産業上の利用可能性】
【００３６】
以上のように、本発明によると、周壁に囲まれた回転体室中に、回転軸で駆動される回転体を設け、各種の粉粒体を含む気体流を回転体に向けて供給し、他方から吸引することによって、粉粒体を回転体や周壁内面に一旦付着させて捕獲し、次いで剥離落下させると、狭小な空間で効果的に粉粒体を捕獲し回収することが可能となり、安価な設備コストで各分野における粉粒体の回収が可能となる。
【図面の簡単な説明】
【００３７】
【図１】本発明による粉粒体の回収方法並びに回収装置の基本構成を示す縦断面図である。
【図２】図１のＡ−Ａ断面図である。
【図３】板状並びに網状の回転体を示す側面図である。
【図４】とげ状に尖った回転体を示す側面図である。
【図５】回転袋からなる回転体を示す縦断面図である。
【図６】可撓性羽根からなる回転体を示す斜視図である。
【符号の説明】
【００３８】
１  回転軸
１ｈ  連通孔
２…  回転羽根
２ａ  帯板状体
２ｂ…  とげ状回転羽根
２ｃ…  回転筒
２ｆ  可撓性羽根
ｆ  枠（フレーム）
ｈ…  通気孔
ｎ  網
３  回転羽根の収納領域
４  羽根車
５  微細霧
６  気化室
８  粉粒体
９  吸引ファン
１０  周壁
10ｂ  回収底
１１  コイルバネ
１２  回転袋
７１・７２  前後の壁部
７３・７４  左右の壁部
【図１】
2009248043.tif 000003
【図２】
2009248043.tif 000004
【図３】
2009248043.tif 000005
【図４】
2009248043.tif 000006
【図５】
2009248043.tif 000007
【図６】
2009248043.tif 000008